(57)【要約】      （修正有）【課題】金具の滑り止め抵抗を格段に向上させ、安全性を高めた瓦棒葺き屋根用雪止め金具を提供する。【解決手段】緊締ボルト３及びナット４と、貫通した前記緊締ボルトとナットによって挟圧される両側板部１１を備えた下方開口コの字状とした挟圧体（挟圧部材１ａ，１ｂ）と、底板部（部材２２）と吊下げ板部（部材２１）を備え、装着対象の瓦棒の巻ハゼ間に底板部が載置嵌合する受け板体２とで構成すると共に、雪止め機能部（雪止めアングル装着溝１５，２１３）を設けた瓦棒葺き屋根用雪止め金具において、積雪荷重に対する滑り抵抗力を増加させる。挟圧体（挟圧部材１ａ，１ｂ）の両側板部１１の下縁１６を、前後端部分が内方に突出するように湾曲させて全体を内方に折曲して突出端１７を形成する。【選択図】図２
0003183977.tif 000002
【実用新案登録請求の範囲】
【請求項１】
緊締ボルト及びナットと、貫通した前記緊締ボルトとナットによって挟圧される両側板部を備えた下方開口コの字状とした挟圧体と、底板部と吊下げ板部を備え、装着対象の瓦棒の巻ハゼ間に底板部が載置嵌合する受け板体とで構成すると共に、挟圧体又は受け板体の一方又は双方に、雪止め板又は雪止めアングル装着部の何れか又は双方を設けた雪止め金具において、挟圧体の両側板部の下縁を、前後端部分が内方に突出するように湾曲させ、且つ全体を内方に折曲してなることを特徴とする瓦棒葺き屋根用雪止め金具。
【請求項２】
左右二分割構造で、分割箇所に起立対向面部を設け、前記起立対向面を小ボルトで連結して挟圧体を形成した請求項１記載の瓦棒葺き屋根用雪止め金具。
【請求項３】
受け板体の吊下げ板部の上部を、起立対向面部間に連結してなる請求項２記載の瓦棒葺き屋根用雪止め金具。
【請求項４】
受け板体を貫通ボルトに吊下げて設けてなる請求項１記載の瓦棒葺き屋根用雪止め金具。
【考案の詳細な説明】
【技術分野】
【０００１】
本考案は、瓦棒葺き屋根に装着する雪止め金具に関するものである。
【背景技術】
【０００２】
瓦棒葺き屋根は、金属薄板を屋根の流れの方向に一定間隔で桟（瓦棒）を並べた様に葺くもので、瓦棒部分の上面両側に巻ハゼを設けており、前記屋根に装着する雪止め金具は、瓦棒を跨いで装着する挟圧体と、挟圧体の両側板部を貫通する緊締ボルトと、緊締ボルトから吊り下げられ瓦棒の内側に載置嵌合する受け板体とで構成され、挟圧体に雪止め機能を奏する雪止め板か、或いは雪止めアングル装着部を設けているものである（特許文献１，２）。
【０００３】
前記の金具は、緊締ボルトに緊締ナットを螺合し、ボルトナットの締め付けを行うことで、瓦棒部分の上面両側に巻ハゼを挟圧体の両側板部で挟圧して瓦棒に固定するものである。
【０００４】
また特に受け板体の底板部の側端縁と、挟圧体の両側板部下方とによる巻ハゼ部分の挟持機能を高めるために、底板部の側端縁に切欠き部を形成する手段が提案されている（特許文献３）。
【先行技術文献】
【特許文献】
【０００５】
【特許文献１】実開昭５７−１２９８２８号公報。
【特許文献２】実開昭５８−１０１９２８号公報。
【特許文献３】特開２００５−２６４６２６号公報。
【考案の概要】
【考案が解決しようとする課題】
【０００６】
ところで屋根葺き用の金属板としては、表面が塗装された化粧鋼板が採用されているが、特に耐食性、耐傷付き性に優れた鋼板として、エポキシ樹脂を含む下塗り塗料とエポキシの硬化作用成分を含まない上塗り塗装を施した塗装鋼板や、また合成シリカを含んで表面の艶消しを施した塗装鋼板などが採用されており、金属薄板と塗装面の密着性を高めた結果、表面が滑りやすくなっている。
【０００７】
このため巻ハゼを挟圧体の側板と受け板体の底板部とで挟持して金具を固定しても、屋根の積雪が多くなって金具の負荷を増大させると、金具が摺り落ちてしまう事故が発生し易くなり、危険な状態となる。
【０００８】
そこで本考案は、挟持機能を高めた新規な瓦棒葺き屋根用雪止め金具を提案したものである。
【課題を解決するための手段】
【０００９】
本考案に係る瓦棒葺き屋根用雪止め金具は、緊締ボルト及びナットと、貫通した前記緊締ボルトとナットによって挟圧される両側板部を備えた下方開口コの字状とした挟圧体と、底板部と吊下げ板部を備え、装着対象の瓦棒の巻ハゼ間に底板部が載置嵌合する受け板体とで構成すると共に、挟圧体又は受け板体の一方又は双方に、雪止め板又は雪止めアングル装着部の何れか又は双方を設けた雪止め金具において、挟圧体の両側板部の下縁を、前後端部分が内方に突出するように湾曲させて全体を内方に折曲してなることを特徴とするものである。
【００１０】
而して装着対象屋根の瓦棒の所定箇所に受け板体を載置嵌合し、挟圧体の両側板部の下方部分を巻ハゼの外方に位置させ、緊締ボルトの締め付けで、瓦棒部分全体を挟圧体で挟持すると共に、巻ハゼ部分を受け板体の底板部の側縁とで挟持して金具が瓦棒に固定されるもので、更に挟圧体の両側板部の下縁前後端部分が内方に突出しているので、前記の挟圧固定に際して、下縁前後端部分（突出端）が瓦棒の側面に強く喰いこむことになり、瓦棒の形成方向（屋根の峰から裾への方向）に対する強い抵抗力を確保することになる。従って屋根の積雪が多くなり金具に対する荷重が大きくなっても、屋根の積雪と共に金具が摺り落ちてしまう事故が防止される。
【考案の効果】
【００１１】
本考案の構成は上記のとおりで、通常の瓦棒への挟圧固定と共に、特に切欠部などを形成することなく、挟圧体のプレス成形時に容易に形成することができる突出端を、瓦棒側面に喰い込ませて固定することで、金具の滑り止め抵抗を格段に向上させ、金具使用時の安全性を高めたものである。
【図面の簡単な説明】
【００１２】
【図１】本考案の実施形態の全体斜視図。
【図２】同分解斜視図。
【図３】同底面図。
【図４】同装着状態を示す断面図。
【考案を実施するための形態】
【００１３】
次に本考案の実施形態について説明する。実施形態に示した瓦棒葺き屋根用雪止め金具は、挟圧体１、受け板体２、緊締ボルト３及び緊締ナット４で構成される。
【００１４】
挟圧体１は、全体で下方開口コの字状で中央から左右二分割構造としたもので、左右挟圧部材１ａ，１ｂは、各々逆Ｌ字状とした側板部１１及び上板部１２を備えると共に、上板部１２の中央側端部（分割箇所）に起立対向面部１３を設け、前記起立対向面１３を小ボルト１４で連結して、挟圧体１を形成する。
【００１５】
また上板部１２より後方に側板部１１を延長し、当該延長部分に雪止めアングル装着溝１５を形成する。
【００１６】
更に側板部１１の下縁１６を、前後端部分が内方に突出するように湾曲させ、且つ全体を内方に折曲させて、下縁前後端部分に突出端１７を設けたものである。
【００１７】
受け板体２は、吊下げ板部材２１と底板部材２２で形成され、吊下げ板部材２１は、上部を起立対向面部１３間で挟圧体１と一体化し、下縁に底板部材２２を吊下げ装着する鉤部２１１を設け、緊締ボルト３の貫通用透孔２１２を設けると共に、所定位置に雪止めアングル装着溝２１３を形成する。更に雪止めアングルの抜け止め部材２１４を付設してなるものである。
【００１８】
底板部材２２は、装着対象の瓦棒Ａの巻ハゼＢの間に嵌合載置されるもので、所定の幅員を有するための側縁２２１と、巻ハゼＢの上面に跨る羽根板部２２２を備え、鉤部２１１が装着される長孔２２３を設けたもので、鉤部２１１を長孔２２３に装着して受け板体２を形成するものである。
【００１９】
而して前記雪止め金具は従前のものと同様に、装着対象屋根の瓦棒Ａの所定箇所に挟圧固定するもので、受け板体２の底板部材２２を巻ハゼＢの間に載置嵌合すると、挟圧体１の両側板部１１の下方部分が巻ハゼＢの外方に位置することになり、緊締ボルト３を締め付けると、瓦棒Ａを挟圧体１で挟持すると共に、巻ハゼＢを受け板体２の底板部材２２の側縁とで挟持して瓦棒Ａに固定されるものである。
【００２０】
更に挟圧体１の両側板部１１の下縁前後端の突出端１７が内方へ突出しているので、前記の緊締ボルト３の締め付けによって、前記突出端１７が瓦棒Ａの側面に強く喰い込むことになる。
【００２１】
従って通常の金具の取り付け操作によって、金具の瓦棒Ａへの挟圧固定と共に、突出端１７の喰い込みが実現することになり、突出端１７の喰い込みが、瓦棒の形成方向（屋根の峰から裾への方向）に対する強い抵抗力を確保することになる。
【００２２】
このため本考案の金具は、屋根の積雪が多くなり金具に対する荷重が大きくなっても、屋根の積雪と共に金具が摺り落ちてしまう虞が無く、事故の発生が防止されるものである。
【００２３】
尚本考案は前記の実施形態の構造に限定されるものではなく、例えば挟圧体の構成を、左右挟圧部材１ａ，１ｂとせずに、下方開口コの字状の一体ものでも良いし、雪止め機能部材として、挟圧体１或いは受け板体２に雪止め板を付設するようにしても良いし、更に受け板体２も、二部材構成ではなく底板部から吊り下げ板部を切り起こした一体形成のものでも良く、また受け板体２を緊締ボルト３に吊下げて設けるようにしても良い。
【符号の説明】
【００２４】
１    挟圧体
１ａ，１ｂ  左右挟圧部材
１１    側板部
１２    上板部
１３    起立対向面部
１４    小ボルト
１５    雪止めアングル装着溝
１６    下縁
１７    突出端
２    受け板体
２１    吊下げ板部材
２１１  鉤部
２１２    貫通用透孔
２１３    雪止めアングル装着溝
２１４    雪止めアングルの抜け止め部材
２２    底板部材
２２１    側縁
２２２    羽根板部
２２３    長孔
３    緊締ボルト
４    緊締ナット
【図１】
0003183977.tif 000003
【図２】
0003183977.tif 000004
【図３】
0003183977.tif 000005
【図４】
0003183977.tif 000006